(57)【要約】【課題】裁断時における異物の巻き込みを防止でき、様々な形状のシュレッダーに簡単に後付け装着できる巻き込み防止装置を提供する。【解決手段】裁断口90を上面に備えたシュレッダー９に装着して、裁断口90への異物の巻き込みを防止するための装置であって、左右に長尺な縦型案内体２と、縦型案内体２の前後両面の下部にそれぞれ左右向き支点回りで揺動自在に支承された、前後の板状スイング体３を備え、縦型案内体２は、上下に貫通して左右に延びたスリット状のシート案内孔20を有しており、翼状に広げた前後の板状スイング体３をシュレッダー９の上面99に沿わせて、シート案内孔20の上端開口部から投入した被裁断シートが裁断口90に案内されるようにシート案内孔20の下端開口部とシュレッダー９の裁断口90とを上下に対向させた状態でシュレッダー９に装着される巻き込み防止装置11とした。【選択図】    図５
2008086941.tif 000002
【特許請求の範囲】
【請求項１】
被裁断シートを投入するための裁断口を上面に備えたシュレッダーに装着して、前記裁断口への異物の巻き込みを防止するための装置であって、
左右に長尺な縦型案内体と、
該縦型案内体の前後両面の下部にそれぞれ左右向き支点回りで揺動自在に支承された、前後の板状スイング体を備え、
前記縦型案内体は、上下に貫通して左右に延びたスリット状のシート案内孔を有しており、
翼状に広げた前後の板状スイング体をシュレッダー上面に沿わせて、シート案内孔の上端開口部から投入した被裁断シートが裁断口に案内されるようにシート案内孔の下端開口部とシュレッダーの裁断口とを上下に対向させた状態でシュレッダーに装着される、
シュレッダーにおける巻き込み防止装置。
【請求項２】
縦型案内体が透視性のある材料で構成されている請求項１記載の巻き込み防止装置。
【請求項３】
スリット状のシート案内孔の上下方向の高さが３ｃｍ以上で、且つ、その前後方向の奥行きが０．８ｃｍ以下となるように構成されている請求項１又は２記載の巻き込み防止装置。
【請求項４】
縦型案内体の上端面手前側に、被裁断シートをシート案内孔の上端開口部に投入しやすくするためのシートガイドが立設されており、
前記シートガイドは、縦型案内体の左右方向の幅とほぼ同幅に形成され、且つ、上部が手前側に傾斜した状態で縦型案内体に立設されている請求項１〜３いずれか記載の巻き込み防止装置。
【請求項５】
シートガイドには、斜め上方を向くガイド面の左右両端にそれぞれサイドガイドが立設されている請求項４記載の巻き込み防止装置。
【請求項６】
シートガイドには、その上端の左右両隅に面取りを施してある請求項４又は請求項５記載の巻き込み防止装置。
【請求項７】
前後の板状スイング体は、板材の下面にスポンジ材が貼付された二重積層構造体である請求項１〜６いずれか記載の巻き込み防止装置。
【請求項８】
前後の板状スイング体は、それぞれ水平になるように翼状に広げた状態において、それぞれの下面が縦型案内体の下端面とほぼ同一平面内に存在するような位置で縦型案内体に支承されている請求項１〜７いずれか記載の巻き込み防止装置。
【請求項９】
前後の板状スイング体にそれぞれ設けた前後の係止部と、
該前後の係止部と連結するための被係止部を両端にそれぞれ設けた長尺ゴム体を備え、
長尺ゴム体がシュレッダーの下面側を経由した状態で長尺ゴム体両端の被係止部を前後の板状スイング体の係止部にそれぞれ連結して、長尺ゴム体が張架状態でシュレッダーを抱き込むようにすることで、シュレッダーに装着される、
請求項１〜８いずれか記載の巻き込み防止装置
【請求項１０】
前後の板状スイング体にそれぞれ設けた前後の係止部と、
該前後の係止部と連結するための被係止部を両端にそれぞれ設けた長尺ゴム体と、
シュレッダーの載置面上に敷設される防滑ゴムシートを備え、
該防滑ゴムシートには、長尺ゴム体をそれぞれ挿入自在な前後方向の平行スリットが設けられ、
長尺ゴム体の両端をそれぞれ上方に向けて防滑ゴムシートの下方から前後方向の平行スリットに貫通させ、
長尺ゴム体が貫通した防滑ゴムシート上にシュレッダーを載置した状態で長尺ゴム体両端の被係止部を前後の板状スイング体の係止部に連結して、長尺ゴム体が張架状態でシュレッダーを抱き込むようにすることで、シュレッダーに装着される
請求項１〜８いずれか記載の巻き込み防止装置。
【発明の詳細な説明】
【技術分野】
【０００１】
本発明は、シュレッダーに装着して、裁断口への異物の巻き込みを防止するための巻き込み防止装置に関する。
【背景技術】
【０００２】
従来より、不要用紙等を裁断処理する手段としてシュレッダーが用いられている。このシュレッダーは、不要用紙等の被裁断シートを投入するための裁断口と、投入された被裁断シートを裁断処理するためのカッタと、カッタによって数ミリ単位で裁断処理された紙裁断屑を収納する屑籠に、大別して構成されている。
【０００３】
従来、このようなシュレッダーは、主に大規模オフィスで使用されてきたが、特に近年、個人情報保護等の観点から、いわゆるＳＯＨＯや家庭への普及が著しい。しかし、これに伴って、乳幼児がシュレッダーの裁断口に指を入れてしまい、大怪我をするという痛ましい事故が多発している。一方、このような事故の防止を目的としたシュレッダー等は、例えば、下記特許文献１や特許文献２に記載されている。
【０００４】
特許文献１には、「用紙トレーに沿って挿入される挿入物の厚さが一定以上の大きさのとき、その状態を検出する挿入異常検出手段を用紙給紙口近傍に設けるとともに、この挿入異常検出手段が挿入物の異常を検出したとき用紙カッタの駆動を停止する手段を設けたことを特徴とするシュレッダー装置の安全機構」が開示されている。そして、これによって「シュレッダー装置使用中に指を用紙給紙口付近に巻き込み損傷するという不慮の事故を防止することが可能」と記載されている。
【０００５】
また、特許文献２には、「本体の被裁断紙投入口の上部近傍に、被裁断紙を前記被裁断紙投入口まで誘導するためのガイド部材が備えられているシュレッダーにおいて、前記ガイド部材を被裁断紙投入口の上部に閉成させることにより、当該被裁断紙投入口がガイド部材によって閉塞されることを特徴とするシュレッダー。」が開示されている。そして、これによって「ガイド部材がシュレッダー本体の蓋体をも兼用するため、不使用時に、前記ガイド部材を被裁断紙投入口上に閉成することにより、裁断用カッタローラが閉塞され安全性が向上する。」と記載されている。
【０００６】
【特許文献１】実開昭６２−１８３５５５号公報（実用新案登録請求の範囲、第３頁）
【特許文献２】実開平１−１０７４３４号公報（実用新案登録請求の範囲、第７頁）
【発明の開示】
【発明が解決しようとする課題】
【０００７】
しかし、上記特許文献１に開示された発明は、感圧センサや検知スイッチ等を用いて、電気的に用紙カッター駆動用モータをオン・オフさせており、大掛かりで高価になりがちである。一方、上記特許文献２に開示された発明は、電気的な制御を行うものではないが、不使用時にのみガイド部材で被裁断紙投入口を閉塞させる構造に過ぎず、裁断時には指等の異物を巻き込んでしまうことがあった。また、裁断時にいちいちガイド部材を上方に跳ね上げるのは面倒であった。さらに、これらの特許文献に開示された安全機構等は、既存のシュレッダーに後付けすることができなかった。
【０００８】
本発明は、上記課題を解決するものであり、裁断時における異物の巻き込みを防止でき、様々な形状のシュレッダーに簡単に後付け装着できる、巻き込み防止装置を提供するものである。
【課題を解決するための手段】
【０００９】
上記課題を解決するために、被裁断シートを投入するための裁断口を上面に備えたシュレッダーに装着して、裁断口への異物の巻き込みを防止するための装置であって、左右に長尺な縦型案内体と、縦型案内体の前後両面の下部にそれぞれ左右向き支点回りで揺動自在に支承された、前後の板状スイング体を備え、縦型案内体は、上下に貫通して左右に延びたスリット状のシート案内孔を有しており、翼状に広げた前後の板状スイング体をシュレッダー上面に沿わせて、シート案内孔の上端開口部から投入した被裁断シートが裁断口に案内されるようにシート案内孔の下端開口部とシュレッダーの裁断口とを上下に対向させた状態でシュレッダーに装着される、シュレッダーにおける巻き込み防止装置とした。
【００１０】
縦型案内体は上下に貫通したスリット状のシート案内孔を有しており、被裁断シートは、このシート案内孔の上端開口部から投入されて裁断口まで案内される。この構成により、被裁断シートを投入する場所は裁断口から上方に離れることになるため、裁断口に指等の異物が巻き込まれにくく安全である。
またシート案内孔はスリット状であるため、シート案内孔自体にも指等の異物が入りにくくなり、裁断孔に異物がより巻き込まれにくく一層安全である。
さらに、前後の板状スイング体は揺動自在であるため、シュレッダーの上面形状に応じて、各スイング体を沿わせることができ、様々な上面形状のシュレッダーに簡易に後付け装着することができる。
シュレッダーへの装着は、板状スイング体の下面をシュレッダー上面に接着したり、後述するような長尺ゴム体を使用して、板状スイング体の下面をシュレッダー上面に圧接させたりすればよい。
【００１１】
縦型案内体が透視性のある材料で構成されている巻き込み防止装置とすることができる。これにより、シート案内孔の下端開口部とシュレッダーの裁断口とを上下に対向させやすくなり、巻き込み防止装置を、より簡易に後付け装着することができる。
【００１２】
スリット状のシート案内孔の上下方向の高さが３ｃｍ以上で、且つ、その前後方向の奥行きが０．８ｃｍ以下となるように構成されている巻き込み防止装置とすることもできる。
【００１３】
シート案内孔の上下方向の高さが３ｃｍ以上であると、シート案内孔の上端開口部と裁断口との距離が離れ、より安全性を確保できて好ましい。シート案内孔の上下方向の高さは、より好ましくは３．５ｃｍ以上であり、最も好ましくは４ｃｍ以上である。シート案内孔の上下方向の高さの上限値は、安全性の面を考慮すると特に制限されないが、あまり高いと嵩張ったり見た目が悪くなったりと現実的ではない。これを考慮するとシート案内孔の上下方向の高さは、好ましくは３０ｃｍ以下、より好ましくは２０ｃｍ以下、最も好ましくは１０ｃｍ以下である。一方、シート案内孔の前後方向の奥行きが０．８ｃｍ以下であると、シート案内孔に異物が入り込みにくくなり、より安全性を確保できて好ましい。シート案内孔の前後方向の奥行きは、乳幼児の指の厚さ等を考慮すると、より好ましくは０．６ｃｍ以下であり、最も好ましくは０．４ｃｍ以下である。シート案内孔の前後方向の奥行き下限値は、安全性の面を考慮すると特に制限されないが、あまり小さいと被裁断シートを投入しにくくなる。これを考慮するとシート案内孔の前後方向の奥行きは、好ましくは０．１ｃｍ以上、より好ましくは０．２ｃｍ以上、最も好ましくは０．３ｃｍ以上である。
【００１４】
縦型案内体の上端面手前側に、被裁断シートをシート案内孔の上端開口部に投入しやすくするためのシートガイドが立設されており、シートガイドは、縦型案内体の左右方向の幅とほぼ同幅に形成され、且つ、上部が手前側に傾斜した状態で縦型案内体に立設されている巻き込み防止装置とすることもできる。
【００１５】
シートガイドを立設したことにより、スリット状のシート案内孔に被裁断シートを投入しやすくなり、裁断作業の効率が向上する。また、シートガイドは、その上部が手前側に傾斜した状態で縦型案内体に立設されていることで、被裁断シートの先端がスリット状のシート案内孔に導かれやすい。
【００１６】
シートガイドには、斜め上方を向くガイド面の左右両端にそれぞれサイドガイドが立設されている巻き込み防止装置とすることもできる。これにより、より一層シート案内孔に被裁断シートを投入しやすくなる。
【００１７】
シートガイドには、その上端の左右両隅に面取りを施してある巻き込み防止装置とすることもできる。これにより、シートガイドの上端両隅で怪我をしにくくなる。特に、乳幼児のいる家庭において、巻き込み防止装置をシュレッダーに装着した場合を考えると、シートガイドの上端はちょうど乳幼児の顔面付近に位置するため、左右両隅が角状であると、眼を突く等して非常に危険である。しかし、この箇所に面取りを施した上記構成とすることで、顔面等を怪我しにくくなる。
【００１８】
前後の板状スイング体は、板材の下面にスポンジ材が貼付された二重積層構造体である巻き込み防止装置とすることもできる。これにより、シュレッダーの上面形状に応じてスポンジ体が確実に変形し、様々な上面形状のシュレッダーに、より一層簡易に且つしっかりと後付け装着することができる。
【００１９】
前後の板状スイング体は、それぞれ水平になるように翼状に広げた状態において、それぞれの下面が縦型案内体の下端面とほぼ同一平面内に存在するような位置で縦型案内体に支承されている巻き込み防止装置とすることもできる。
【００２０】
巻き込み防止装置をシュレッダーに装着した状態で、縦型案内体の下端面とシュレッダーの裁断口との間に大きな隙間空間が生じると、この隙間空間の両端開口部から乳幼児が指を差し入れて裁断口に巻き込まれる可能性があった。上記構成とすることで、縦型案内体の下端とシュレッダーの裁断口との間に大きな隙間空間が生じにくくなり、より安全な巻き込み防止装置となる。
【００２１】
前後の板状スイング体にそれぞれ設けた前後の係止部と、前後の係止部と連結するための被係止部を両端にそれぞれ設けた長尺ゴム体を備え、長尺ゴム体がシュレッダーの下面側を経由した状態で長尺ゴム体両端の被係止部を前後の板状スイング体の係止部にそれぞれ連結して、長尺ゴム体が張架状態でシュレッダーを抱き込むようにすることで、シュレッダーに装着される巻き込み防止とすることもできる。ここで、本明細書における「連結」とは、係止部に被係止部を直接係止する他、連結部材を用いて係止部と被係止部を間接的に係止する場合も含む概念である。
【００２２】
これにより、板状スイング体の下面とシュレッダー上面を接着することなくシュレッダーに装着でき、取り外しも簡単な巻き込み防止装置となる。
【００２３】
前後の板状スイング体にそれぞれ設けた前後の係止部と、前後の係止部と連結するための被係止部を両端にそれぞれ設けた長尺ゴム体と、シュレッダーの載置面上に敷設される防滑ゴムシートを備え、防滑ゴムシートには、長尺ゴム体をそれぞれ挿入自在な前後方向の平行スリットが設けられ、長尺ゴム体の両端をそれぞれ上方に向けて防滑ゴムシートの下方から前後方向の平行スリットに貫通させ、長尺ゴム体が貫通した防滑ゴムシート上にシュレッダーを載置した状態で長尺ゴム体両端の被係止部を前後の板状スイング体の係止部に連結して、長尺ゴム体が張架状態でシュレッダーを抱き込むようにすることで、シュレッダーに装着される巻き込み防止装置とすることもできる。
【００２４】
これにより、板状スイング体の下面とシュレッダー上面を接着することなくシュレッダーに装着でき、取り外しも簡単な巻き込み防止装置となる。また、防滑ゴムシートの存在により、シュレッダーが載置面上で滑りにくくなり、シュレッダーを載置面にしっかり設置することもできる。
【発明の効果】
【００２５】
本発明により、裁断時における異物の巻き込みを防止でき、様々な形状のシュレッダーに簡単に後付け装着できる、巻き込み防止装置を提供することができる。
【発明を実施するための最良の形態】
【００２６】
以下、図を用いて、本発明の実施形態を例示説明する。図１〜図６は第一実施形態の巻き込み防止装置を説明するための図、図７は第二実施形態の巻き込み防止装置を説明するための図、図８及び図９は第三実施形態の巻き込み防止装置を説明するための図である。また、図10〜図14は第四実施形態の巻き込み防止装置を説明するための図であり、図15〜図18は第五実施形態の巻き込み防止装置を説明するための図である。なお、以下の説明において、シュレッダーの裁断口が長尺に延びている方向と対応する方向を左右方向とする。具体的には、図１〜図18のうち斜視図においては、例えば図５に示すように、裁断口90が長尺に延びている方向である図中左上側と図中右下側とを斜めに結ぶ方向を左右方向とする。まず、図１〜図６を用いて、第一実施形態の巻き込み防止装置について例示説明する。
【００２７】
［第一実施形態］
図１は第一実施形態の巻き込み防止装置11の分解斜視図であり、図２は同巻き込み防止装置11の斜視図であり、図３は同巻き込み防止装置11の拡大右側面図であり、図４は同巻き込み防止装置11の拡大正面図である。また、図５は同巻き込み防止装置11をシュレッダー９に装着する様子を示す斜視図であり、図６は同巻き込み防止装置11をシュレッダー９に装着した状態を示す斜視図である。本第一実施形態の巻き込み防止装置11は、図１に示すように、縦型案内体２と板状スイング体３に加えて、シートガイド４を備える。
【００２８】
縦型案内体２は、上下方向の高さが前後方向の奥行きより大きな側面視が縦型であり、また、左右方向の幅が上下方向の高さより大きな正面視が横立姿勢である。本実施形態では、正面視が矩形形状で、左右方向の幅が上下方向の高さより大きな横立姿勢であり、上下方向の高さが前後方向の奥行きより大きな縦型の、左右方向に長尺な横立姿勢の縦型案内体２とした。縦型案内体２の左右方向の幅（すなわち矩形形状の長辺の長さ）は、図５に示すような装着されるシュレッダー９の裁断口90の長さ（裁断口90の左右方向の幅）より長くする必要がある。例えば、一般家庭用として市販されているＡ４シート（短辺長が概ね２１ｃｍ）裁断タイプのシュレッダー９に対応させる場合、縦型案内体２の左右方向の幅は２２ｃｍ以上であることが好ましい。縦型案内体２の左右方向の幅は、Ａ４シート裁断タイプのシュレッダーに対応させる場合、より好ましくは２４ｃｍ以上、最も好ましくは２５ｃｍ以上である。本実施の形態では、縦型案内体２の左右方向の長さを２６ｃｍとした。また、縦型案内体２の上下方向の高さは後述するシート案内孔20の上下方向の高さを決定付けるものであり、本実施の形態では４ｃｍとした。縦型案内体２の前後方向の奥行きは、本実施の形態では０．７ｃｍとした。
【００２９】
この縦型案内体２には、図２に示すように、スリット状のシート案内孔20が開けられている。シート案内孔20は、縦型案内体２を上下方向に貫通しており、左右方向に延びたスリット状である。シート案内孔20は被裁断シートをシュレッダーの裁断口まで案内する働きを担うため、その左右方向の幅20Ｗ（図４参照）は被裁断シートの幅より大きく形成されている。Ａ４シート裁断タイプのシュレッダーに対応させる場合、シート案内孔20の左右方向の幅20Ｗは、Ａ４サイズのシート幅である２１ｃｍより大きな幅であればよい。また、本実施形態では、シート案内孔20の上下方向の高さ20Ｈ（図１及び図４参照）を４ｃｍ、シート案内孔20の前後方向の奥行き20Ｄ（図１及び図３参照）を0.4ｃｍとした。なお、本実施形態では、縦型案内体２を構成する材料として透明なポリエチレンテレフタレート樹脂性の長尺前後板と短尺左右板とを用い、それらの端部同士を接着して左右方向に長尺な角筒状に構成することで、上下方向に貫通したスリット状のシート案内孔20を備える縦型案内体２を得た。
【００３０】
板状スイング体３は、図１に示すように、縦型案内体２の左右方向の幅とほぼ同じ幅の略矩形形状であり、縦型案内体２に前後一対取り付けられている。そして、前後の板状スイング体３は、縦型案内体２の前後面（前面23及び後面24、図３も参照）の下端部にそれぞれ左右向き支点回りで揺動自在に支承されている。本実施形態では、左右二箇所の蝶番５によって板状スイング体３を縦型案内体２に支承した。図３に示すように、板状スイング体３を、水平になるように翼状に広げると、縦型案内体２と板状スイング体３とで側面視逆Ｔ字状に構成される。前後の板状スイング体３は、それぞれ図３中の黒塗り矢印で示された上下方向に揺動する。なお、本実施形態では、シュレッダー９の動作スイッチ91の場所に合わせて（図６参照）、前後の板状スイング体３のうち前側の板状スイング体３に切欠部35を設けた。
【００３１】
シートガイド４は、図１に示すように、縦型案内体２の左右方向の幅とほぼ同幅の略矩形形状であり、被裁断シートをシート案内孔20の上端開口部に投入しやすくするために、図４に示すように、その下端41が縦型案内体２の上端面手前側（上端面前側）231に固着されることで、この箇所に立設されている。縦型案内体２の上端面手前側231は、縦型案内体２を構成する長尺前板の頂部、言い換えればシート案内孔20を囲う前壁板の頂部に該当する。そして、シートガイド４は、図３に示すように、その上部42側が手前側（前側）に傾斜した状態で縦型案内体２に立設されている。また、シートガイド４には、斜め上方を向くガイド面43の左右両端にそれぞれ立設されたサイドガイド45を備える。図４に示すように、シートガイド４の上端の左右両隅には面取り40が施されている。
【００３２】
これら縦型案内体２、板状スイング体３およびシートガイド４で構成された巻き込み防止装置11は、図５及び図６に示すように、前後の板状スイング体３を翼状に広げてシュレッダー９に載置される。板状スイング体３はシュレッダー９の上面99の形状（前後方向に円弧状）に合わせて揺動自在であり、その下面39をシュレッダー９の上面99にある程度沿わせることができる。そして、シート案内孔20の上端開口部から投入した被裁断シートが裁断口90に案内されるように、シート案内孔20の下端開口部とシュレッダー９の裁断口90とを上下に対向させてシュレッダー９に装着する。ここで、縦型案内体２は透明な材料で構成されているため、裁断口90の上方にシート案内孔20の下端開口部を位置させることが容易である。本実施の形態では、板状スイング体３の下面39をシュレッダー９の上面99に両面テープで接着することで巻き込み防止装置11をシュレッダー９に装着した。巻き込み防止装置11の装着には、両面テープ以外にも接着剤やネジ止め等の各種接着手段が使用できる。巻き込み防止装置11がシュレッダー９に装着された図６に示す状態では、シュレッダー９の裁断口は巻き込み防止装置11に覆われ、裁断口と直接連通可能な経路は、縦型案内体２のシート案内孔20を通じてのみとなる。
【００３３】
上記巻き込み防止装置11を装着したシュレッダー９で機密書類等の被裁断シートを裁断する手順は、例えば以下の通りである。まず、シュレッダー９の動作スイッチ91を入れて裁断可能な状態にする。次に被裁断シートをシートガイド４に沿わせながら、縦型案内体２に開けられたシート案内孔20に投入する。被裁断シートは、巻き込み防止装置11の前側、すなわち、シートガイド４が傾斜している方向側からシート案内孔20に投入される。投入された被裁断シートは、シート案内孔20に案内されてシュレッダー９の裁断口90に到達し、やがて裁断されるのである。シュレッダー９に溜まった裁断屑は、屑籠95を引き出して廃棄等される。
【００３４】
上記実施形態の巻き込み防止装置11は、裁断時における異物の巻き込みを防止でき、様々な形状のシュレッダー９に簡単に後付け装着できるものである。シートガイド４の存在により、被裁断シートを投入しやすくなり、裁断時の作業効率も向上する。裁断時の安全性をより高めるには、下記第二実施形態や第三実施形態の巻き込み防止装置とすればよい。
【００３５】
［第二実施形態］
以下、図７を用いて、第二実施形態の巻き込み防止装置12を説明する。図７は同巻き込み防止装置12の斜視図である。なお、以降の図において、第一実施形態と同様の構成要素のうち主要なものについては同じ符号を付し、その説明を省略する。
【００３６】
本第二実施形態の巻き込み防止装置12は、蝶番に換えて可撓性フィルム６を用い、これによって板状スイング体３を支承している点で、前記第一実施形態と大きく異なる。
【００３７】
本実施形態では、可撓性フィルム６として、ポリエチレンテレフタレートフィルムを縦型案内体２の左右方向の幅とほぼ同長（同幅）の長尺状に裁断したものを用い、これを長手方向に沿って折り曲げて、その上部61を、縦型案内体２における前面23の下端部に接着し、その下部62を前側の板状スイング体３における上面38の縦型案内体２側に接着して、板状スイング体３を支承した。後側の板状スイング体３も同様に支承した。こうすることで、縦型案内体２と板状スイング体３の支承箇所に隙間が生じることがなく、縦型案内体２と板状スイング体３との僅かな隙間から乳幼児が指を差し入れて怪我をする危険がなくなり、万が一の事故を防止できるのである。
【００３８】
［第三実施形態］
次に、図８及び図９を用いて、第三実施形態の巻き込み防止装置13を説明する。図８は同巻き込み防止装置13の斜視図であり、図９は同巻き込み防止装置13の拡大右側面図である。
【００３９】
本第三実施形態の巻き込み防止装置13は、板状スイング体30が、板材31の下面にスポンジ材32を貼付した二重積層構造体である点で、前記実施形態と大きく異なる。
【００４０】
本実施形態では、スポンジ材32として発泡ゴムを使用し、これを板材31（図２における板状スイング体３に相当する）の下面に接着して板状スイング体30とした。こうすることで、シュレッダーの上面形状に応じてスポンジ材32が確実に変形し、様々な形状のシュレッダーに簡易に、且つしっかりと後付け装着することができるのである。
【００４１】
また、本実施形態では、図９に示すように、前後の板状スイング体30をそれぞれ水平になるように翼状に広げた状態において、それぞれの下面39が横立姿勢の縦型案内体２の下端面25とほぼ同一平面内に存在するように、前後の板状スイング体30を、縦型案内体２の前面23および後面24の下端から板状スイング体30のほぼ厚み分だけ上方位置で支承した。こうすることで、縦型案内体２の下端面25とシュレッダー９の裁断口90との間に隙間空間が生じにくくなり、より安全な巻き込み防止装置13となる。
【００４２】
上述した各実施形態の巻き込み防止装置は、シュレッダー９の上面に板状スイング体３,30の下面を接着することで装着した。このような接着をせずに、巻き込み防止装置を装着するためには、下記第四実施形態に示すような構成とすればよい。
【００４３】
［第四実施形態］
次に、図10〜図14を用いて、第四実施形態の巻き込み防止装置14を説明する。図10は同巻き込み防止装置14における縦型案内体２と板状スイング体30等を示す一部分解斜視図であり、図11は同巻き込み防止装置における長尺ゴム体７を示す斜視図である。また、図12は同巻き込み防止装置14における縦型案内体２と板状スイング体30等をシュレッダー９に載置した状態を示す斜視図であり、図13は同巻き込み防止装置14をシュレッダー９に装着する様子を示す斜視図であり、図14は同巻き込み防止装置14をシュレッダー９に装着した状態を示す斜視図である。本第四実施形態の巻き込み防止装置14は、長尺ゴム体７を備えており、これを用いてシュレッダー９に装着される点で前記実施形態と異なる。なお、図10及び図12において、巻き込み防止装置14を構成する長尺ゴム体７が図示されていないため、縦型案内体２と板状スイング体30等で構成された構造体を（巻き込み防止装置14）と括弧書き表示してある。
【００４４】
本実施形態では、図10に示すように、前記第三実施形態の巻き込み防止装置13（図８参照）をベースに、その前後の板状スイング体30の上面にそれぞれ係止フック33（係止部）を設けてある。係止フック33は、板状スイング体30の左右二カ所に設けた。この係止フック33は、板状スイング体30に開けた孔部300にネジ301で固定されている。また、板状スイング体30には、凹状のクッション材34が、係止フック33の固定箇所近傍の端面から上面にかけて、逆Ｌ状に折曲状態で貼付されている。
【００４５】
一方、長尺ゴム体７は、図11に示すように、帯状ゴム71と、この帯状ゴム71の両端に設けたリング部材73（被係止部）で構成される。リング部材73は、帯状ゴム71の両端にネジ止めされたフック72にそれぞれ取り付けられている。
【００４６】
この長尺ゴム体７を備える巻き込み防止装置14をシュレッダー９に装着する手順は以下の通りである。まず、図12に示すように、縦型案内体２と板状スイング体30等で構成された構造体をシュレッダー９に載置する。このとき、前述した各実施形態と同様、前後の板状スイング体30を翼状に広げてシュレッダー9の上面99に沿わせ、シート案内孔20の上端開口部から投入した被裁断シートがシュレッダー９の裁断口に案内されるように、シート案内孔20の下端開口部とシュレッダー９の裁断口とを上下に対向させた状態で載置する。この状態から、図13に示すように、左右一対用意した長尺ゴム体７をシュレッダー９の前後方向から下面98側を経由させる。そして、図14に示すように、長尺ゴム体７の両端のリング部材73を前後の板状スイング体30の係止フック33にそれぞれ連結して、長尺ゴム体７が張架状態でシュレッダー９を抱き込むようにする。左右一対の長尺ゴム体７は、それぞれシュレッダー９の左右側を抱き込んでいる。長尺ゴム体７は、シュレッダー９を抱き込んだ状態で、張力がかかるような長さである。様々な形状のシュレッダーに対応させるために、長尺ゴム体７は、帯状ゴム71の長さを調節するための長さ調節手段（図示せず）を有することが好ましい。
【００４７】
本実施形態では、図11に示すように、帯状ゴム71の両端に設けたフック72にリング部材73を取り付けたが、これに限定されず、帯状ゴム71の両端に直接リング部材73を取り付けてもよい。また、本実施形態では、図10及び図14に示すように、板状スイング体30の左右二カ所に係止フック33を設け、左右一対の長尺ゴム体７を使用したが、これに限定されず、板状スイング体30の左右方向中央部の一カ所に係止フックを設け、一本の長尺ゴム体７を使用してもよい。
【００４８】
［第五実施形態］
最後に、図15〜図18を用いて、第五実施形態の巻き込み防止装置15を説明する。図15は第五実施形態の巻き込み防止装置において帯状ゴム71を防滑ゴムシート８の平行スリット801,802に貫通させる様子を示す斜視図であり、図16は同巻き込み防止装置において帯状ゴム71を防滑ゴムシート８の平行スリット801,802に貫通させて、さらにフック72を取り付けた状態を示す一部分解斜視図である。また、図17は同巻き込み防止装置15をシュレッダー９に装着する様子を示す斜視図であり、図18は同巻き込み防止装置15をシュレッダー９に装着した状態を示す斜視図である。本第五実施形態の巻き込み防止装置15は、防滑ゴムシート８を備える点で前記第四実施形態と異なる。
【００４９】
防滑ゴムシート８はゴム製であり、図15に示すように、略正方形の薄いシートである。防滑ゴムシート８には、その前後方向に間隔を開けた平行スリット801,802が設けられている。本実施形態では、前後方向の平行スリット801,802は左右一対ずつ、計二対設けられている。この平行スリット801,802は、長尺ゴム体７を構成する帯状ゴム71を挿入できるような形状、大きさに設けられている。
【００５０】
この防滑ゴムシート８に長尺ゴム体７が取り付けられる。具体的には、図15に示すように、まず、帯状ゴム71の両端をそれぞれ上方に向けて防滑ゴムシート８の下方から前後方向の平行スリット801,802に貫通させる。次に図16に示すように、帯状ゴム71の両端にリング部材を取り付けるためのフック72を設ける。フック72はネジ721で帯状ゴム71の両端にそれぞれ一個ずつ固着される。そして、図17に示すように、長尺ゴム体７が貫通した防滑ゴムシート８上にシュレッダー９を載置する。シュレッダー９は、長尺ゴム体７がシュレッダー９の下面側を前後方向から経由するように防滑ゴムシート８上に載置される。その後、長尺ゴム体７の両端のフック72に取り付けたリング部材73を前後の板状スイング体30の係止フック33に連結して、長尺ゴム体７が張架状態でシュレッダー９を抱き込むようにすることで、図18に示すように、シュレッダー９に装着されるのである。なお、予め帯状ゴム71の両端にフック72とリング部材73を取り付けた後、長尺ゴム体７の両端をそれぞれ上方に向けて防滑ゴムシート８の下方から前後方向の平行スリット801,802に貫通させてもよい。
【００５１】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【図面の簡単な説明】
【００５２】
【図１】第一実施形態の巻き込み防止装置の分解斜視図である。
【図２】第一実施形態の巻き込み防止装置の斜視図である。
【図３】第一実施形態の巻き込み防止装置の拡大右側面図である。
【図４】第一実施形態の巻き込み防止装置の拡大正面図である。
【図５】第一実施形態の巻き込み防止装置をシュレッダーに装着する様子を示す斜視図である。
【図６】第一実施形態の巻き込み防止装置をシュレッダーに装着した状態を示す斜視図である。
【図７】第二実施形態の巻き込み防止装置の斜視図である。
【図８】第三実施形態の巻き込み防止装置の斜視図である。
【図９】第三実施形態の巻き込み防止装置の拡大右側面図である。
【図１０】第四実施形態の巻き込み防止装置における縦型案内体と板状スイング体等を示す一部分解斜視図である。
【図１１】第四実施形態の巻き込み防止装置における長尺ゴム体を示す斜視図である。
【図１２】第四実施形態の巻き込み防止装置における縦型案内体と板状スイング体等をシュレッダーに載置した状態を示す斜視図である。
【図１３】第四実施形態の巻き込み防止装置をシュレッダーに装着する様子を示す斜視図である。
【図１４】第四実施形態の巻き込み防止装置をシュレッダーに装着した状態を示す斜視図である。
【図１５】第五実施形態の巻き込み防止装置において帯状ゴムを防滑ゴムシートの平行スリットに貫通させる様子を示す斜視図である。
【図１６】第五実施形態の巻き込み防止装置において帯状ゴムを防滑ゴムシートの平行スリットに貫通させて、さらにフックを取り付けた状態を示す一部分解斜視図である。
【図１７】第五実施形態の巻き込み防止装置をシュレッダーに装着する様子を示す斜視図である。
【図１８】第五実施形態の巻き込み防止装置をシュレッダーに装着した状態を示す斜視図である。
【符号の説明】
【００５３】
11〜15    巻き込み防止装置
２        縦型案内体
20         シート案内孔
20Ｈ        高さ
20Ｄ        奥行き
20Ｗ        幅
201         上端開口部
202         下端開口部
231         上端面手前側
25          下端面
３,30     板状スイング体
31          板材
32          スポンジ材
33          係止フック（係止部）
39          下面
４        シートガイド
40          面取り
41          下端
43          ガイド面
45          サイドガイド
５        蝶番
６        可撓性フィルム
７        長尺ゴム体
71           帯状ゴム
73           リング部材（被係止部）
８        防滑ゴムシート
801,802      平行スリット
９        シュレッダー
90            裁断口
98            下面
99            上面
【図１】
2008086941.tif 000003
【図２】
2008086941.tif 000004
【図３】
2008086941.tif 000005
【図４】
2008086941.tif 000006
【図５】
2008086941.tif 000007
【図６】
2008086941.tif 000008
【図７】
2008086941.tif 000009
【図８】
2008086941.tif 000010
【図９】
2008086941.tif 000011
【図１０】
2008086941.tif 000012
【図１１】
2008086941.tif 000013
【図１２】
2008086941.tif 000014
【図１３】
2008086941.tif 000015
【図１４】
2008086941.tif 000016
【図１５】
2008086941.tif 000017
【図１６】
2008086941.tif 000018
【図１７】
2008086941.tif 000019
【図１８】
2008086941.tif 000020